(57)【要約】【課題】防塵効果を向上させる。【解決手段】光学構造体は、保持部材の入射口の周囲に沿って防塵シートを配置し、入射口を覆って、防塵シート上に偏光ビームフィルタを配置するようにした。このため、防塵シートはその一部ではなく入射口の周囲に沿って偏光ビームフィルタにより押さえられるようになる。これにより、防塵シートの撚れの発生を防止でき、偏光ビームフィルタと保持部材の入射口との密閉性が向上し、保持部材内に塵等の混入が効果的に防止されるようになる。【選択図】図３
2013186357.tif 000002
【特許請求の範囲】
【請求項１】
光が入射される入射口と、光変調部により変調された前記入射口からの光が出射される出射口とを備える保持部材と、
前記入射口の周囲に沿って前記保持部材上に配置された防塵部材と、
前記入射口を覆うと共に前記防塵部材上に配置されて前記保持部材に保持される、前記入射される光を偏光する偏光部と、
を有する光学構造体。
【請求項２】
前記防塵部材と、前記防塵部材が配置される前記保持部材の領域との間の前記入射口側に空間領域を備える請求項１記載の光学構造体。
【請求項３】
前記防塵部材が配置される前記保持部材の領域に、リブ部が間隔を空けて複数配置されている請求項１記載の光学構造体。
【請求項４】
前記偏光部は、外周縁部で前記防塵部材と面接触している請求項２記載の光学構造体。
【請求項５】
前記防塵部材に対する前記偏光部の外周縁部の接触領域の幅は、前記防塵部材の厚さと等しい請求項４記載の光学構造体。
【請求項６】
前記空間領域の幅は、前記偏光部の外周縁部の接触領域の幅よりも長い請求項４記載の光学構造体。
【請求項７】
前記偏光部と対向する開口を備え、前記偏光部上に配置して、前記偏光部を固定する固定部材をさらに有する請求項１記載の光学構造体。
【請求項８】
前記保持部材は、前記入射口からの光を前記光変調部に出射し、前記光変調部から変調された前記入射口からの光が前記偏光部に対して入射される通過口をさらに有する請求項１記載の光学構造体。
【請求項９】
光変調部と、
光が入射される入射口と、前記光変調部により変調された前記入射口からの光が出射される出射口とを備える保持部材と、前記入射口の周囲に沿って前記保持部材上に配置された防塵部材と、前記入射口を覆うと共に前記防塵部材上に配置されて前記保持部材に保持される、前記入射される光を偏光する偏光部と、を備える光学構造体と、
を有する投影装置。
【発明の詳細な説明】
【技術分野】
【０００１】
本技術は、光学構造体及び投影装置に関する。
【背景技術】
【０００２】
プロジェクタ等の投影装置は、光源からの光から赤色（Ｒ）、緑色（Ｇ）、青色（Ｂ）の３原色にそれぞれ分離し、分離した光ごとに偏光子が偏光し、偏光した光を液晶表示パネルで表示画像の色ごとの画像情報に基づき変調する。そして、変調した各光を合成プリズムで合成し、投影レンズを介して拡大投影して表示する（例えば、特許文献１参照）。
【０００３】
また、分離した光を偏光する偏光子は、偏光した光が液晶表示パネルに入射し、液晶表示パネルで変調された光を合成プリズムへ反射する位置に、保持部材（三角柱状支持部材）により保持されている（例えば、特許文献２参照）。
【先行技術文献】
【特許文献】
【０００４】
【特許文献１】特開２０１１−１５８８２３号公報
【特許文献２】特開２００８−１８０８５６号公報
【発明の概要】
【発明が解決しようとする課題】
【０００５】
特許文献２では、三角柱状支持部材に対して、偏光子、密閉部材を順に設置して、さらに板バネ部材を設置して偏光子を固定するようにしている。しかし、この場合には、板バネ部材は密封部材の一部のみを押さえており、密閉部材の押さえられていない箇所から塵が入ることがある。塵が入ると投影される表示画像が乱れてしまうという問題点があった。
【０００６】
本技術はこのような点に鑑みてなされたものであり、防塵効果が向上した光学構造体及び投影装置を提供することを目的とする。
【課題を解決するための手段】
【０００７】
上記課題を解決するために、光学構造体は、保持部材と、防塵部材と、偏光部とを有する。保持部材は、光が入射される入射口と、光変調部により変調された入射口からの光が出射される出射口とを備える。防塵部材は、入射口の周囲に沿って保持部材上に配置される。偏光部は、入射口を覆うと共に防塵部材上に配置されて保持部材に保持され、入射される光を偏光する。
【０００８】
また、上記課題を解決するために、投影装置は、光変調部と上記の光学構造体とを備える。
【発明の効果】
【０００９】
上記の光学構造体及び投影装置によれば、保持部材と偏光部との密閉性が向上する。
【図面の簡単な説明】
【００１０】
【図１】投影装置が備えるハードウェア構成例を示す図である。
【図２】実施の形態に係る光学構造体の一例を示す図である。
【図３】実施の形態に係る光学構造体の断面を示す図である。
【図４】実施の形態に係る光学構造体が備える保持部材の一例を示す図である。
【図５】実施の形態に係る光学構造体が備える防塵シートの一例を示す図である。
【図６】実施の形態に係る光学構造体が備える偏光ビームフィルタの一例を示す図である。
【発明を実施するための形態】
【００１１】
以下、図面を参照して実施の形態について説明する。
【００１２】
本実施の形態に係る光学構造体は、光が入射される入射口と、光変調部により変調された入射口からの光が出射される出射口とを備える保持部材の入射口の周囲に沿って保持部材上に防塵部材が配置されている。さらに、入射される光を偏光する偏光部が、入射口を覆うと共に防塵部材上に配置されて保持部材に保持される。これにより光学構造体では、防塵部材は偏光部により押圧されて、保持部材と偏光部との密閉性が向上し、保持部材内に塵等の混入を防止することができるようになる。また、このような光学構造体を備える投影装置では、光学構造体の保持部材内への塵等の混入が防止されるため、投影画像の画質の低下を抑制することができるようになる。
【００１３】
まず、このような投影装置のハードウェア構成について図１を用いて説明する。
【００１４】
図１は、投影装置が備えるハードウェア構成例を示す図である。
【００１５】
投影装置１０は、図１に示すように、照明光学系１１と、ダイクロイックミラー１１ａ，１１ｂ、反射ミラー１１ｃ、赤色（Ｒ）、緑色（Ｇ）及び青色（Ｂ）にそれぞれ対応する光学構造体１００、液晶表示パネル１２（光変調部）、ダイクロイックプリズム１３、投影光学系１４を備える。
【００１６】
照明光学系１１は、光源から白色光を発光し、発光された白色光を略平行にして出射する。
【００１７】
ダイクロイックミラー１１ａは、照明光学系１１から出射された白色光のうち、赤色（Ｒ）及び緑色（Ｇ）の光を透過させ、青色（Ｂ）の光を入射方向に対して方向を９０度変えて反射させる。
【００１８】
ダイクロイックミラー１１ｂは、ダイクロイックミラー１１ａを透過した光のうち、赤色（Ｒ）の光を透過させて光学構造体１００（Ｒ）に入射させる。また、ダイクロイックミラー１１ｂは、ダイクロイックミラー１１ａを透過した光のうち、緑色（Ｇ）の光を入射方向に対して方向を９０度変えて反射させ、光学構造体１００（Ｇ）に入射させる。
【００１９】
反射ミラー１１ｃは、ダイクロイックミラー１１ａにより反射された青色（Ｂ）の光を入射方向に対して方向を９０度変えて反射させ、光学構造体１００（Ｂ）に入射させる。
【００２０】
光学構造体１００は、赤色（Ｒ）、青色（Ｂ）及び緑色（Ｇ）に対してそれぞれ設けられている。このような光学構造体１００は、入射された光を後述する液晶表示パネル１２に通過口１１５から出射し、液晶表示パネル１２から反射された光が再び通過口１１５から入射される。また、光学構造体１００は、液晶表示パネル１２から入射された光をダイクロイックプリズム１３に出射口１１６から出射する。なお、光学構造体１００の詳細については後述する。
【００２１】
液晶表示パネル１２（光変調部）は、例えば、反射型の液晶表示装置である。また、液晶表示パネル１２は、表示画像に対応する画像信号から必要な信号処理により生成された赤色（Ｒ）、青色（Ｂ）及び緑色（Ｇ）の３色の画像情報に対応する画像信号がそれぞれ入力される。光学構造体１００を介して赤色（Ｒ）、青色（Ｂ）または緑色（Ｇ）の光が入射された液晶表示パネル１２は、入力された各色に対応する画像信号に基づき、入射された光を変調して反射し、光学構造体１００に出射する。
【００２２】
ダイクロイックプリズム１３は、赤色（Ｒ）、青色（Ｂ）または緑色（Ｇ）の光に対応する光学構造体１００から各色の変調された光が入射される。入射された各色の変調された光を１つの投影画像に合成して、投影光学系１４に出射する。
【００２３】
投影光学系１４は、ダイクロイックプリズム１３から入射された投影画像を所定の倍率に拡大してスクリーン（図示を省略）に投影する。
【００２４】
このような投影装置１０における投影画像の投影方法について説明する。
【００２５】
まず、照明光学系１１から出力された略平行の白色光は、ダイクロイックミラー１１ａにより赤色（Ｒ）及び緑色（Ｇ）の光は透過される。さらに、透過した赤色（Ｒ）及び緑色（Ｇ）の光のうち、ダイクロイックミラー１１ｂにより赤色（Ｒ）の光は透過されて、光学構造体１００（Ｒ）に入射し、緑色（Ｇ）の光は入射方向に対して方向を９０度変えて反射されて、光学構造体１００（Ｇ）に入射する。
【００２６】
また、照明光学系１１から出力された略平行の白色光のうち青色（Ｂ）の光はダイクロイックミラー１１ａにより入射方向に対して方向を９０度変えて反射される。さらに、ダイクロイックミラー１１ａで反射された青色（Ｂ）の光は、反射ミラー１１ｃにより方向を９０度変えて反射されて光学構造体１００（Ｂ）に入射する。
【００２７】
光学構造体１００は赤色（Ｒ）と、緑色（Ｇ）、青色（Ｂ）のそれぞれの光が入射されると、偏光ビームフィルタ１３０が各色の光を偏光して、通過口１１５から液晶表示パネル１２に出射する。液晶表示パネル１２は、入力された各色の画像信号に基づいて入射した光を変調して、再び、光学構造体１００に出射する。
【００２８】
光学構造体１００では、液晶表示パネル１２から変調された光が入射されると、偏光ビームフィルタ１３０（偏光部）が変調された光を反射して、出射口１１６からダイクロイックプリズム１３に出射する。
【００２９】
ダイクロイックプリズム１３は、光学構造体１００から入射された変調された光を合成して、投影画像を生成し、投影光学系１４に出射する。投影光学系１４はスクリーン（不図示）に対して拡大して投影画像を投影する。
【００３０】
次に、このような投影装置１０が備える光学構造体１００の詳細について図２及び図３を用いて説明する。
【００３１】
図２は、実施の形態に係る光学構造体の一例を示す図、図３は、実施の形態に係る光学構造体の断面を示す図である。なお、図３（Ａ）は図２の一点鎖線Ｘ−Ｘ、図３（Ｂ）は図２の一点鎖線Ｙ−Ｙでのそれぞれの要部拡大断面図である。
【００３２】
光学構造体１００は、図２に示すように、各色の光が入射する保持部材１１０の入射口１１１（図２では不図示）に偏光ビームフィルタ１３０が配置されている。また、偏光ビームフィルタ１３０に開口部１５３を対向させて、保持部材１１０の係合部１１７に係止部１５２を係合させて偏光ビームフィルタ１３０を固定する固定枠部１５０（固定部材）が保持部材１１０に配置されている。このような固定枠部１５０は、例えば、ステンレス等の金属で構成されており、開口部１５３の３か所に形成された押圧部１５１を備えている。押圧部１５１は、固定枠部１５０の開口部１５３の周囲の３か所が切り込まれて折り曲げられて形成されている。このような押圧部１５１は、板バネとして機能することから、固定枠部１５０を保持部材１１０に配置した際には、押圧部１５１は自身の弾性力を利用して、偏光ビームフィルタ１３０を３か所で所定範囲内の圧力で押圧する。
【００３３】
また、保持部材１１０には、入射口１１１の周囲に沿ってシート配置領域１１２と、支持部１１４とがそれぞれ形成されている（いずれも図２では不図示）。
【００３４】
シート配置領域１１２は、図３に示すように、保持部材１１０の入射口１１１の周囲に沿って形成された凹部である。このシート配置領域１１２には、防塵シート１２０（防塵部材）が配置されている。また、シート配置領域１１２にはリブ部１１３が入射口１１１の周囲に沿って等間隔に形成されている。このため、防塵シート１２０と防塵シート１２０が配置されたシート配置領域１１２との間の入射口１１１側には、逃げ領域１１３ａ（空間領域）である空間が構成される。
【００３５】
支持部１１４は、固定枠部１５０が保持部材１１０に配置された場合に押圧部１５１と対向する保持部材１１０の入射口１１１の周囲に形成されている（後述する図４（Ａ）参照）。
【００３６】
偏光ビームフィルタ１３０は光の偏光方向に応じて光を反射し、または、透過させることができる。このような偏光ビームフィルタ１３０は外周縁部にフィルタ枠部１４０が取り付けられて、保持部材１１０の入射口１１１を覆って防塵シート１２０上に配置されると共に、保持部材１１０の支持部１１４に支持される。
【００３７】
このように保持部材１１０に配置された偏光ビームフィルタ１３０に対して固定枠部１５０を配置すると、偏光ビームフィルタ１３０は、３か所で押圧部１５１と支持部１１４とで挟持されて固定される。これにより、偏光ビームフィルタ１３０に対する過剰な圧力をかけることなく偏光ビームフィルタ１３０を固定することができ、偏光ビームフィルタ１３０に対する損傷の発生を予防することができる。
【００３８】
このような構成を有する光学構造体１００は、赤色（Ｒ）、緑色（Ｇ）及び青色（Ｂ）に対してそれぞれ同様の構成のものが用意されて、図１に示したように、液晶表示パネル１２がそれぞれ配置されると共に、ダイクロイックプリズム１３に対して配置される。
【００３９】
次に、このような光学構造体１００の組み立てについて説明する。
【００４０】
まず、光学構造体１００の保持部材１１０について図４を用いて説明する。
【００４１】
図４は、実施の形態に係る光学構造体が備える保持部材の一例を示す図である。なお、図４（Ａ）は、光学構造体１００の保持部材１１０の斜視図、図４（Ｂ）は図４（Ａ）の一点鎖線Ｘ−Ｘにおける要部拡大断面図をそれぞれ示している。
【００４２】
保持部材１１０は、図４（Ａ）に示すように、入射口１１１と、通過口１１５、出射口１１６を備える。
【００４３】
入射口１１１は、照明光学系１１から出射された白色光から分離された赤色（Ｒ）、緑色（Ｇ）、青色（Ｂ）の光がそれぞれ入射される。
【００４４】
通過口１１５は、入射口１１１から入射した光が通過して、液晶表示パネル１２に対して出射される。また、通過口１１５は、液晶表示パネル１２が反射した変調した光が通過して、入射口１１１に対して入射される。
【００４５】
出射口１１６は、通過口１１５から入射された変調した光を入射口１１１に配置した偏光ビームフィルタ１３０が反射して、ダイクロイックプリズム１３に出射される。
【００４６】
このような保持部材１１０は、入射口１１１の周囲に沿って、幅が４ｍｍ程度の凹部が形成されることによりシート配置領域１１２が設けられている。また、このようなシート配置領域１１２には長さが、例えば、シート配置領域１１２の幅の４分の１の１ｍｍ程度、高さが０．２〜０．３ｍｍのリブ部１１３が入射口１１１の周囲に沿って所定の間隔で形成されている。
【００４７】
また、保持部材１１０には、保持部材１１０の入射口１１１の周囲に高さが０．２〜０．３ｍｍ、直径が１．０〜１．５ｍｍの円柱状の支持部１１４が例えば３つ形成されている。なお、図４に示す支持部１１４の保持部材１１０に対する形成位置並びに形成された数は一例であり、固定枠部１５０の押圧部１５１の形成位置並びに数に応じて適宜形成することができる。
【００４８】
さらに、保持部材１１０の入射口１１１の図４中上部及び下部には係合部１１７がそれぞれ形成されている（下部側の係合部１１７については図示を省略）。
【００４９】
次いで、このような保持部材１１０に対して配置される防塵シート１２０について説明する。
【００５０】
図５は、実施の形態に係る光学構造体が備える防塵シートの一例を示す図である。なお、図５（Ａ）は防塵シート１２０が配置された保持部材１１０の斜視図、図５（Ｂ）は図５（Ａ）の一点鎖線Ｘ−Ｘにおける要部拡大断面図をそれぞれ示している。
【００５１】
防塵シート１２０は、保持部材１１０の入射口１１１の周囲に沿って形成されたシート配置領域１１２に配置される。この際、防塵シート１２０と、保持部材１１０のシート配置領域１１２との間には、リブ部１１３のために、逃げ領域１１３ａである空間が構成される。
【００５２】
なお、防塵シート１２０の材質はウレタン、シリコーンゴム等である。また、防塵シート１２０の厚さは、シート配置領域１１２に配置した際に防塵シート１２０の上面が凹部と同じ高さ、または数ｍｍ程度突出するような、例えば、１．２〜１．６ｍｍである。
【００５３】
次いで、防塵シート１２０が配置された保持部材１１０に対して配置される偏光ビームフィルタ１３０について図６を用いて説明する。
【００５４】
図６は、実施の形態に係る光学構造体が備える偏光ビームフィルタの一例を示す図である。なお、図６（Ａ）は偏光ビームフィルタ１３０及び防塵シート１２０が配置された保持部材１１０の斜視図、図６（Ｂ）は図６（Ａ）の一点鎖線Ｘ−Ｘにおける要部拡大断面図をそれぞれ示している。
【００５５】
偏光ビームフィルタ１３０にはその外周縁部を取り囲むフィルタ枠部１４０が取り付けられている。
【００５６】
フィルタ枠部１４０が取り付けられた偏光ビームフィルタ１３０は、図６（Ａ）に示すように、防塵シート１２０が配置された保持部材１１０に対して入射口１１１を覆うと共に、防塵シート１２０上に配置される。なお、フィルタ枠部１４０は、例えば、ポリカーボネートで構成されている。また、本実施の形態では、フィルタ枠部１４０を偏光ビームフィルタ１３０に取り付けて、偏光ビームフィルタ１３０を保護し、取り扱い易くしている。なお、偏光ビームフィルタ１３０に対するフィルタ枠部１４０の取り付けは必須ではない。
【００５７】
また、フィルタ枠部１４０が取り付けられた偏光ビームフィルタ１３０は、図６（Ｂ）に示すように、保持部材１１０の支持部１１４で支持されると共に、外周縁部が防塵シート１２０と面で接触するように防塵シート１２０上に配置される。
【００５８】
このように防塵シート１２０はその一部ではなく入射口１１１の周囲に沿って偏光ビームフィルタ１３０により押さえられるようになる。これにより、防塵シート１２０の撚れの発生を防止でき、偏光ビームフィルタ１３０と保持部材１１０の入射口１１１との密閉性が向上し、保持部材１１０内に塵等の混入が効果的に防止できるようになる。
【００５９】
また、防塵シート１２０は、偏光ビームフィルタ１３０が配置されることで、偏光ビームフィルタ１３０の外周縁部により図６中下側に押圧力を受ける。この際、防塵シート１２０の下部には逃げ領域１１３ａが設けられているために、偏光ビームフィルタ１３０により押圧された防塵シート１２０の領域は逃げ領域１１３ａ側に撓む。これにより、偏光ビームフィルタ１３０に対する防塵シート１２０からの反力を抑制することができ、反力により生じる偏光ビームフィルタ１３０の歪みの発生を防止することができる。
【００６０】
但し、逃げ領域１１３ａの幅Ｌ１が長すぎて、さらに、深すぎると防塵シート１２０の撓んだ状態が維持されてしまうために、偏光ビームフィルタ１３０を支えることができなくなり、密閉性の低下、偏光ビームフィルタ１３０の歪みの発生を生じさせる恐れがある。さらに、逃げ領域１１３ａの幅Ｌ１が短すぎると、防塵シート１２０を適切に撓ませることができない。
【００６１】
このため、逃げ領域１１３ａの幅Ｌ１は、防塵シート１２０の幅よりも短く、偏光ビームフィルタ１３０（及びフィルタ枠部１４０）の防塵シート１２０と接触する長さＬ２よりも長いことが望まれる、例えば、本実施の形態の場合では、逃げ領域１１３ａの幅Ｌ１は、２．０〜３．０ｍｍ程度で、深さは（リブ部１１３の高さに対応）は０．２〜０．３ｍｍ程度であることが望ましい。また、防塵シート１２０を撓ませるためには、少なくとも偏光ビームフィルタ１３０の外周縁部と防塵シート１２０との面接触が保たれることが必要である。このような長さＬ２は、本実施の形態の場合では、防塵シート１２０の厚さ程の、例えば、１．２〜１．６ｍｍ程度であることが望ましい。
【００６２】
そして、偏光ビームフィルタ１３０が配置された保持部材１１０に対して、固定枠部１５０を取り付けることで、図２及び図３で示した、固定枠部１５０が取り付けられた光学構造体１００の組み立てが完了する。
【００６３】
以上のように光学構造体１００は、保持部材１１０の入射口１１１の周囲に沿って防塵シート１２０を配置し、入射口１１１を覆って、防塵シート１２０上に偏光ビームフィルタ１３０を配置するようにした。このため、防塵シート１２０はその一部ではなく入射口１１１の周囲に沿って偏光ビームフィルタ１３０により押さえられるようになる。これにより、防塵シート１２０の撚れの発生を防止でき、偏光ビームフィルタ１３０と保持部材１１０の入射口１１１との密閉性が向上し、保持部材１１０内に塵等の混入が効果的に防止できるようになる。
【００６４】
また、保持部材１１０のシート配置領域１１２にリブ部１１３を入射口１１１に沿って複数形成することで、シート配置領域１１２に配置された防塵シート１２０とシート配置領域１１２との間に逃げ領域１１３ａを構成するようにした。このため、防塵シート１２０は、配置された偏光ビームフィルタ１３０の外周縁部により押圧力を受けても、逃げ領域１１３ａ側に撓むことができ、防塵シート１２０から偏光ビームフィルタ１３０に対する反力を抑制することができる。これにより、偏光ビームフィルタ１３０に対する歪みの発生を防止することができるようになる。
【００６５】
さらに、上記で説明したとおり光学構造体１００の各構成の配置に接着剤を利用することなく光学構造体１００を組み立てることができる。このため、接着剤と各構成との熱膨張率差等による故障が発生することがなく、また、各構成の分解、再組み立て等を容易に行うことができるようになる。
【００６６】
また、このような光学構造体１００が用いられた投影装置１０は、光学構造体１００の保持部材１１０中への塵の混入が防止され、また、偏光ビームフィルタ１３０に対する歪みの発生が防止されることから、投影装置１０が投影する投影画像の画質の低下を抑制することができるようになる。
【００６７】
なお、本技術は以下のような構成を採ることもできる。
（１）光が入射される入射口と、光変調部により変調された前記入射口からの光が出射される出射口とを備える保持部材と、
前記入射口の周囲に沿って前記保持部材上に配置された防塵部材と、
前記入射口を覆うと共に前記防塵部材上に配置されて前記保持部材に保持される、前記入射される光を偏光する偏光部と、
を有する光学構造体。
（２）前記防塵部材と、前記防塵部材が配置される前記保持部材の領域との間の前記入射口側に空間領域を備える前記（１）記載の光学構造体。
（３）前記防塵部材が配置される前記保持部材の領域に、リブ部が間隔を空けて複数配置されている前記（１）または（２）に記載の光学構造体。
（４）前記偏光部は、外周縁部で前記防塵部材と面接触している前記（２）記載の光学構造体。
（５）前記防塵部材に対する前記偏光部の外周縁部の接触領域の幅は、前記防塵部材の厚さと等しい前記（４）記載の光学構造体。
（６）前記空間領域の幅は、前記偏光部の外周縁部の接触領域の幅よりも長い前記（４）記載の光学構造体。
（７）前記偏光部と対向する開口を備え、前記偏光部上に配置して、前記偏光部を固定する固定部材をさらに有する前記（１）乃至（６）のいずれかに記載の光学構造体。
（８）前記保持部材は、前記入射口からの光を前記光変調部に出射し、前記光変調部から変調された前記入射口からの光が前記偏光部に対して入射される通過口をさらに有する前記（１）乃至（７）のいずれかに記載の光学構造体。
（９）光変調部と、
光が入射される入射口と、前記光変調部により変調された前記入射口からの光が出射される出射口とを備える保持部材と、前記入射口の周囲に沿って前記保持部材上に配置された防塵部材と、前記入射口を覆うと共に前記防塵部材上に配置されて前記保持部材に保持される、前記入射される光を偏光する偏光部と、を備える光学構造体と、
を有する投影装置。
【符号の説明】
【００６８】
１００……光学構造体、１１０……保持部材、１１１……入射口、１１２……シート配置領域、１１３……リブ部、１１３ａ……逃げ領域、１１４……支持部、１１５……通過口、１１６……出射口、１１７……係合部、１２０……防塵シート、１３０……偏光ビームフィルタ、１４０……フィルタ枠部、１５０……固定枠部、１５１……押圧部、１５２……係止部、１５３……開口部
【図１】
2013186357.tif 000003
【図２】
2013186357.tif 000004
【図３】
2013186357.tif 000005
【図４】
2013186357.tif 000006
【図５】
2013186357.tif 000007
【図６】
2013186357.tif 000008